(57)【要約】【課題】使用する原稿台をユーザ操作により選択した後、或いは原稿台を選択するそう差を行う際に、選択した原稿台を容易に判別することができる画像読取装置を提供する。【解決手段】画像読取装置は、原稿が載置される複数の原稿台１５，１６と、回動動作により原稿台１５における原稿の給送口を開閉する給送ローラ５と、回動動作により原稿台１６における原稿の給紙口を開閉するピックアップローラ２と、ユーザ操作により複数の原稿台１５，１６から選択された原稿台の情報に基づいて、選択された原稿台における原稿の給送口又は給紙口を開放する共に、選択されていない原稿台における原稿の給送口又は給紙口を閉じるように給送ローラ５又はピックアップローラ２の回動動作を制御する制御手段と、を備える。【選択図】図４
2010166388.tif 000002
【特許請求の範囲】
【請求項１】
原稿が載置される複数の原稿台と、
前記複数の原稿台における原稿の取込口を開閉する開閉手段と、
ユーザ操作により前記複数の原稿台から選択された原稿台の情報に基づいて、前記選択された原稿台における原稿の取込口を開放すると共に、前記選択されていない原稿台における原稿の取込口を閉じるように前記開閉手段を制御する制御手段と、を備える
ことを特徴とする画像読取装置。
【請求項２】
前記原稿台に原稿が載置されているか否かを検知する原稿検知手段を備え、
前記制御手段は、前記原稿検知手段により前記選択されていない原稿台に原稿が載置されていることが検知されたとき、該原稿台における原稿の取込口を閉じるように前記開閉手段を制御する前に、ユーザに対して警告する処理を行う、
ことを特徴とする請求項１に記載の画像読取装置。
【請求項３】
前記開閉手段は、前記原稿台に載置された原稿を搬送路に給送する給送ローラと、
該給送ローラを前記取込口を開放する位置と該取込口を閉じる位置とに移動させる移動手段と、を備える
ことを特徴とする請求項１又は２に記載の画像読取装置。
【請求項４】
前記開閉手段は、前記原稿台に載置された原稿を搬送路に給紙するピックアップローラと、
該ピックアップローラを前記取込口を開放する位置と該取込口を閉じる位置とに移動させる移動手段と、を備える
ことを特徴とする請求項１又は２に記載の画像読取装置。
【請求項５】
前記開閉手段は、前記原稿台に載置された原稿を搬送路に給送する給送ローラより原稿給送方向の上流側位置に配置されて、前記取込口を開閉する開閉扉と、
該開閉扉を前記取込口を開放する位置と該取込口を閉じる位置とに移動させる移動手段と、を備える
ことを特徴とする請求項１又は２に記載の画像読取装置。
【請求項６】
前記開閉手段は、前記原稿台に載置された原稿を搬送路に給紙するピックアップローラより原稿給紙方向の上流側位置に配置されて、前記取込口を開閉する開閉扉と、
該開閉扉を前記取込口を開放する位置と該取込口を閉じる位置とに移動させる移動手段と、を備える
ことを特徴とする請求項１又は２に記載の画像読取装置。
【請求項７】
前記複数の原稿台から使用する原稿台をユーザ操作により選択させるための操作表示部を備える
ことを特徴とする請求項１〜６のいずれか一項に記載の画像読取装置。
【発明の詳細な説明】
【技術分野】
【０００１】
本発明は、原稿が載置される原稿台を複数有する画像読取装置に関する。
【背景技術】
【０００２】
従来のこの種の画像読取装置としては、例えば、図１０に示すものがある（特許文献１）。
【０００３】
この画像読取装置は、原稿台１６に載置された原稿Ｄ１が、ピックアップローラ２を介して給紙され、給紙された原稿Ｄ１は、給送ローラ３及び分離ローラ４によって１枚ずつに分離されて搬送路に給送される。
【０００４】
搬送路に給送された原稿Ｄ１は、搬送ローラ対６によって下流側に搬送され、上下一対の読取センサ２０２，２００で両面の画像が読み取られた後、排紙ローラ対７によって排紙台１７に排紙される。
【０００５】
一方、原稿台１５に載置された原稿Ｄ２は、給送ローラ５及び分離ローラ５２によって１枚ずつに分離されて搬送路に給送される。
【０００６】
搬送路に給送された原稿Ｄ２は、搬送ローラ対６によって下流側に搬送され、上下一対の読取センサ２０２，２００で両面の画像が読み取られた後、排紙ローラ対７によって排紙台１７に排紙される。
【０００７】
原稿台１６の原稿Ｄ１を読み取るか原稿台１５の原稿Ｄ２を読み取るかは、画像読取装置、又は該画像読取装置に接続されたＰＣ等のユーザインタフェイスを介してユーザが原稿の種類に応じて選択操作する。
【先行技術文献】
【特許文献】
【０００８】
【特許文献１】特許第３６３９６１４号公報
【発明の概要】
【発明が解決しようとする課題】
【０００９】
しかし、上記特許文献１では、ユーザ操作により原稿台１６又は原稿台１５を選択した後、どちらの原稿台を選択したかを忘れてしまった場合、ユーザは原稿台１６か原稿台１５のどちらに原稿を載置してよいのかが判らなくなってしまう。また、原稿台の選択時にどちらの選択をする操作であるか判別しにくい。
【００１０】
そこで、本発明は、使用する原稿台をユーザ操作により選択した後、或いは原稿台を選択する操作を行う際に、選択した原稿台を容易に判別することができる画像読取装置を提供することを目的とする。
【課題を解決するための手段】
【００１１】
上記目的を達成するために、本発明の画像読取装置は、原稿が載置される複数の原稿台と、前記複数の原稿台における原稿の取込口を開閉する開閉手段と、ユーザ操作により前記複数の原稿台から選択された原稿台の情報に基づいて、前記選択された原稿台における原稿の取込口を開放すると共に、前記選択されていない原稿台における原稿の取込口を閉じるように前記開閉手段を制御する制御手段と、を備えることを特徴とする。
【発明の効果】
【００１２】
本発明によれば、使用する原稿台をユーザ操作により選択した後、或いは原稿台を選択する操作を行う際に、選択した原稿台を容易に判別することができる。
【図面の簡単な説明】
【００１３】
【図１】本発明の第１の実施形態である画像読取装置を説明するための概略断面図である。
【図２】画像読取装置の制御系について説明するためのブロック図である。
【図３】画像読取装置の操作表示部に表示される画像読取り設定の設定画面例を示す図である。
【図４】（ａ）はピックアップローラの支持機構を説明するための図、（ｂ）は給送ローラの支持機構を説明するための図である。
【図５】ピックアップローラ及び給送ローラを移動させる制御の一例について説明するためのフローチャート図である。
【図６】図５のステップＳ５０５及びステップＳ５１０でピックアップローラを下げる動作について具体的に説明するためのフローチャート図である。
【図７】本発明の第２の実施形態である画像読取装置を説明するための概略断面図である。
【図８】開閉扉の動作例について説明するためのフローチャート図である。
【図９】図８のステップＳ７０５及びステップＳ７１０で開閉扉を下げる動作について具体的に説明するためのフローチャート図である。
【図１０】従来の画像読取装置を説明するための概略断面図である。
【発明を実施するための形態】
【００１４】
以下、本発明の実施形態を図面を参照して説明する。
【００１５】
（第１の実施形態）
図１は、本発明の第１の実施形態である画像読取装置を説明するための概略断面図である。
【００１６】
図１に示すように、本実施形態の画像読取装置１は、略Ｕ字状の主搬送路２０、及び主搬送路２０の中間部で該主搬送路２０に合流する合流搬送路２１を有する。
【００１７】
主搬送路２０の上流端には、複数の原稿Ｄ１が載置される原稿台１６が配置され、合流搬送路２１の上流端には、複数の原稿Ｄ２が載置される原稿台１５が配置されている。原稿台１６には、原稿Ｄ１の有無を検知する原稿検知センサ１４ａが設けられ、原稿台１５には、原稿Ｄ２の有無を検知する原稿検知センサ１４ｂが設けられている。
【００１８】
また、主搬送路２０における合流搬送路２１との合流位置より下流側には、読取ユニット１０が主搬送路２０の下方に位置して配置されている。読取ユニット１０の下流側には、読取ユニット１２が主搬送路２０の上方に位置して配置されている。
【００１９】
読取ユニット１０，１２の主搬送路２０を向く側には、それぞれコンタクトガラス１３が配置されている。読取ユニット１０側のコンタクトガラス１３に対して主搬送路２０を挟んで対向する位置には、例えば黒色の対向部材９が配置されている。また、読取ユニット１２側のコンタクトガラス１３に対して主搬送路２０を挟んで対向する位置には、例えば黒色の対向部材９が配置されている。
【００２０】
読取ユニット１０側のコンタクトガラス１３に対して対向する対向部材９と主搬送路２０における合流搬送路２１との合流位置との間には、主搬送路２０を搬送される原稿を検知するレジストセンサ８が配置されている。
【００２１】
読取ユニット１２に対して対向する対向部材９の下流側位置には、例えば白色の色基準部材１１が該対向部材９に隣接して配置されている。また、読取ユニット１０側のコンタクトガラス１３の下流側位置には、例えば白色の色基準部材１１が該コンタクトガラス１３に隣接して配置されている。
【００２２】
また、画像読取装置１は、読取ユニット１０側のコンタクトガラス１３の位置で上下のユニット１８，１９に分割されており、上ユニット１８は下ユニット１９に対して不図示のヒンジを介して開閉可能に支持されている。
【００２３】
例えば、本等のように一枚ずつ分離して主搬送路２０に給紙できない原稿を読み取る場合は、上ユニット１８を開け、読取ユニット１０側のコンタクトガラス１３に原稿をあてがった状態で画像を読み取ることができる。
【００２４】
上ユニット１８は、上部フレーム８１及び下部フレーム８２から構成され、上部フレーム８１が回動軸８１ａを介して開閉可能に支持されている。主搬送路２０で原稿の紙詰まり等が発生した際には、上部フレーム８１を開けて主搬送路２０に詰まった原稿を取り除くことができる。
【００２５】
読取ユニット１０は、主搬送路２０を搬送される原稿に対して光を照射する光源２０１と、原稿からの反射光を受光して原稿の画像を読み取るラインイメージセンサ２００とを備える。読取ユニット１２は、主搬送路２０を搬送される原稿に対して光を照射する光源２０１と、原稿からの反射光を受光して原稿の画像を読み取るラインイメージセンサ２０２とを備える。
【００２６】
ここで、光源２０１及びラインイメージセンサ２００，２０２には、それぞれ光量むらや感度むらがある。このため、読取ユニット１０，１２を色基準部材１１に対向する位置に移動させてラインイメージセンサ２００，２０２で色基準部材１１を読み取り、光量むらと感度むらをラインイメージセンサ２００，２０２の画素セル単位で補正するシェーディング補正を行う。
【００２７】
このシェーディング補正では、光源２０１の発光量を適正化する光量調整と、ラインイメージセンサ２００，２０２の画像信号出力に対する増幅率を最適化するゲイン調整とを行う。
【００２８】
そして、原稿Ｄの両面の画像を読み取る際には、まず、読取ユニット１０のラインイメージセンサ２００により色基準部材１１が読み取られ、読取ユニット１０用のシェーディング補正用データが生成されて画素セルごとに記憶される。
【００２９】
また、読取ユニット１２のラインイメージセンサ２０２により色基準部材１１が読み取られ、読取ユニット１２用のシェーディング補正用データが生成されて画素セルごとに記憶される。
【００３０】
その後、原稿台１６に載置された原稿Ｄ１は、給紙口（取込口）からピックアップローラ２を介して給紙され、給紙された原稿Ｄ１は、給送ローラ３及び分離ローラ４によって１枚ずつに分離されて主搬送路２０に給送される。
【００３１】
主搬送路２０に給送された原稿Ｄ１は、主搬送路２０をＵターンしつつ搬送ローラ対６によって上面を下向きにして下流側に搬送され、読取ユニット１０のラインイメージセンサ２００で上面の画像が読み取られる。
【００３２】
ここで、前述した画素ごとに記憶した読取ユニット１０用のシェーディング補正用データを参照して、読取ユニット１０のラインイメージセンサ２００の画像信号から生成した画像データをシェーディング補正する。
【００３３】
読取ユニット１０により画像が読み取られた原稿Ｄ１は、下流側に搬送されて読取ユニット１２のラインイメージセンサ２０２により下面の画像が読み取られる。
【００３４】
ここで、前述した画素ごとに記憶した読取ユニット１２用のシェーディング補正用データを参照して、読取ユニット１２のラインイメージセンサ２０２の画像信号から生成した画像データをシェーディング補正する。
【００３５】
両面の画像が読み取られた原稿Ｄ１は、排紙ローラ対７によってさらに下流側に搬送されて排紙台１７に排紙される。
【００３６】
読取ユニット１０で原稿の画像を読み取るタイミングは、原稿の先端がレジストセンサ８で検知された時点からＴ１秒経過したときにラインイメージセンサ２００による読み取りを開始し、Ｔ２（＞Ｔ１）秒経過したときに読み取りを終了する。
【００３７】
Ｔ１は、原稿の先端がレジストセンサ８で検知された時点からラインイメージセンサ２００に到達するまでの時間である。Ｔ２は、原稿の先端がレジストセンサ８で検知された時点からラインイメージセンサ２００を通過し終わるまでの時間である。
【００３８】
Ｔ１，Ｔ２は、原稿の搬送速度と、レジストセンサ８からラインイメージセンサ２００の上流端及び下流端まで距離とから求めることができる。
【００３９】
なお、読取ユニット１２で原稿の画像を読み取るタイミングについては、原稿の搬送速度と、レジストセンサ８からラインイメージセンサ２０２の上流端及び下流端まで距離とからＴ１，Ｔ２を求め、上記同様にして、読取開始及び読取終了のタイミングを決定する。
【００４０】
一方、原稿台１５に載置された原稿Ｄ２は、給送口（取込口）から給送ローラ５及び分離ローラ５２によって１枚ずつに分離されて分離給送路２１を介して主搬送路２０に給送される。
【００４１】
主搬送路２０に給送された原稿Ｄ２は、搬送ローラ対６によって下流側に搬送され、読取ユニット１０のラインイメージセンサ２００で下面の画像が読み取られる。
【００４２】
読取ユニット１０により画像が読み取られた原稿Ｄ２は、下流側に搬送されて読取ユニット１２のラインイメージセンサ２０２により上面の画像が読み取られる。
【００４３】
両面の画像が読み取られた原稿Ｄ２は、排紙ローラ対７によってさらに下流側に搬送されて排紙台１７に排紙される。
【００４４】
次に、図２を参照して、画像読取装置１の制御系について説明する。
【００４５】
図２において、読取ユニット１０は、主搬送路２０を搬送される原稿に光源２０１から光を照射して原稿から反射された光をラインイメージセンサ２００で光電変換し、不図示のＡ／Ｄ変換部でデジタル化処理を施して所定の色深度の画像データを出力する。
【００４６】
読取ユニット１２は、主搬送路２０を搬送される原稿に光源２０１から光を照射して原稿から反射された光をラインイメージセンサ２０２で光電変換し、不図示のＡ／Ｄ変換部でデジタル化処理を施して所定の色深度の画像データを出力する。
【００４７】
画像処理部１０２は、読取ユニット１０，１２からが出力された画像データに対してシェーディング処理、原稿位置検知処理、画像補正処理等を行う。
【００４８】
制御部１０６は、不図示のＣＰＵ、ＲＯＭ、及びＲＡＭ等を備え、ＲＯＭには画像読取装置１を制御する各種の処理プログラム、及び各種の処理プログラムを実行するのに必要な各種データが格納される。
【００４９】
出力部１０４は、ＰＣ等の外部装置との通信を行うための通信Ｉ／Ｆ等を備える。記憶部１０５は、ハードディスクやメモリカード等で構成され、制御部１０６の制御により画像データの書き込みおよび読み出しが行われる。
【００５０】
操作表示部１０１は、画像読取装置１に対する指示を入力操作するためのユーザインタフェイスである。例えば、読取モードや読取サイズの指示や、読取原稿の指示についてもこの操作表示部１０１でのユーザ操作により選択される。
【００５１】
なお、操作表示部１０１でのユーザによる選択操作に代えて、出力部１０４を介して接続されたＰＣ等の外部装置から上述した指示を選択操作するようにしてもよい。
【００５２】
図３は、画像読取装置１の操作表示部１０１に表示される画像読取設定の設定画面例である。
【００５３】
図３において、設定画面４００には、画像の読取モードを選択するラジオボタン４０１、読取サイズを選択するプルダウン式のエディットボックス４０２、読取原稿を選択するラジオボタン４０３、及びＯＫボタン４０４が配置されている。
【００５４】
ラジオボタン４０１の選択項目は、例えば、２４ビットカラー画像、８ビットグレー画像、１ビット白黒画像の３種類である。エディットボックス４０２の選択項目は、例えば、Ａ４、Ａ５、Ａ６、名刺サイズの４種類である。
【００５５】
また、ラジオボタン４０３の選択項目は、例えば、「フィーダ」、「名刺フィーダ」、「フラットベッド」の３種類である。
【００５６】
「フィーダ」は、原稿台１６から原稿Ｄ１を給紙して画像を読み取る設定を指し、「名刺フィーダ」は、原稿台１５から原稿Ｄ２を給紙して画像を読み取る設定を指す。
【００５７】
「フラットベッド」は、コンタクトガラス１３上に原稿を載置して読取ユニット１０により画像を読み取る設定を指す。
【００５８】
設定画面４００で選択した情報は、ＯＫボタン４０４を押下することで確定し、確定した選択情報は、制御部１０６のＲＡＭに保存される。
【００５９】
図４（ａ）はピックアップローラ２の支持機構を説明するための図、図４（ｂ）は給送ローラ５の支持機構を説明するための図である。
【００６０】
ピックアップローラ２は、図４（ａ）に示すように、上部ユニット１８に対して支持部材２０５を介して上下方向に回動可能に支持されており、支持部材２０５は、制御部１０６により制御される不図示の駆動手段の駆動力が伝達されることで回動動作する。
【００６１】
給送ローラ５は、図４（ｂ）に示すように、上部ユニット１８に対して支持部材２０６を介して上下方向に回動可能に支持されており、支持部材２０６は、制御部１０６により制御される不図示の駆動手段の駆動力が伝達されることで回動動作する。
【００６２】
次に、図５を参照して、ピックアップローラ２及び給送ローラ５を移動させる制御の一例について説明する。図５での各処理は、画像読取装置１のＲＯＭやハードディスク等に記憶されたプログラムがＲＡＭにロードされて、制御部１０６のＣＰＵにより実行される。
【００６３】
ステップＳ５０１では、ＣＰＵは、操作表示部１０１の設定画面４００でＯＫボタン４０４が押下されると、その時点までに設定画面４００をユーザが操作して変更した設定内容を記憶し、ステップＳ５０２に進む。
【００６４】
ステップＳ５０２では、ＣＰＵは、設定画面４００の読取原稿のラジオボタン４０３で「フィーダ」が選択されているか否かを判別し、「フィーダ」が選択されていれば、ステップＳ５０７に進み、「フィーダ」が選択されていなければ、ステップＳ５０３に進む。
【００６５】
ステップＳ５０７では、ＣＰＵは、原稿台１５の給送ローラ５を下げる方向に支持部材２０６が回動動作するように不図示の駆動手段を制御し、これにより、給送ローラ５を分離ローラ５２に接触させて原稿Ｄ２の給送口を閉じ、ステップＳ５０８に進む。
【００６６】
ステップＳ５０８では、ＣＰＵは、原稿台１６のピックアップローラ２を上げる方向に支持部材２０５が回動動作するように不図示の駆動手段を制御し、これにより、原稿Ｄ１の給紙口を開放し、処理を終了する。
【００６７】
一方、ステップＳ５０３では、ＣＰＵは、設定画面４００の読取原稿のラジオボタン４０３で「名刺フィーダ」が選択されているか否かを判別する。
【００６８】
そして、ＣＰＵは、「名刺フィーダ」が選択されている場合は、ステップＳ５０５に進み、「名刺フィーダ」が選択されていない場合は、ステップＳ５０４に進む。
【００６９】
ステップＳ５０５では、ＣＰＵは、原稿台１６のピックアップローラ２を下げる方向に支持部材２０５が回動動作するように不図示の駆動手段を制御し、これにより、原稿Ｄ１の給紙口を閉じ、ステップＳ５０６に進む。
【００７０】
ステップＳ５０６では、ＣＰＵは、原稿台１５の給送ローラ５を上げる方向に支持部材２０６が回動動作するように不図示の駆動手段を制御し、これにより、原稿Ｄ２の給送口を開放し、処理を終了する。
【００７１】
一方、ステップＳ５０４では、ＣＰＵは、設定画面４００の読取原稿のラジオボタン４０３で「フラットベッド」が選択されているものと判断し、ステップＳ５０９に進む。
【００７２】
ステップＳ５０９では、ＣＰＵは、原稿台１５の給送ローラ５を下げる方向に支持部材２０６が回動動作するように不図示の駆動手段を制御し、これにより、給送ローラ５を分離ローラ５２に接触させて原稿Ｄ２の給送口を閉じ、ステップＳ５１０に進む。
【００７３】
ステップＳ５１０では、ＣＰＵは、原稿台１６のピックアップローラ２を下げる方向に支持部材２０５が回動動作するように不図示の駆動手段を制御し、これにより、原稿Ｄ１の給紙口を閉じ、処理を終了する。
【００７４】
なお、給紙口が開放された原稿台１６に原稿Ｄ１を載置した後、ユーザ操作により画像読取装置１の操作表示部１０１又はＰＣ等の外部装置から読取開始が指示される。
【００７５】
読取開始が指示されると、ＣＰＵは、ピックアップローラ２が原稿Ｄ１に当接するまで該ピックアップローラ２を下げる方向に支持部材２０５が回動動作するように不図示の駆動手段を制御し、この状態で、原稿Ｄ１の給紙動作が開始される。
【００７６】
また、同様に、給送口が開放された原稿台１５に原稿Ｄ２を載置した後、ユーザ操作により画像読取装置１の操作表示部１０１又はＰＣ等の外部装置から読取開始が指示される。
【００７７】
読取開始が指示されると、ＣＰＵは、給送ローラ５が原稿Ｄ２に当接するまで該給送ローラ５を下げる方向に支持部材２０６が回動動作するように不図示の駆動手段を制御し、この状態で、原稿Ｄ２の給送動作が開始される。
【００７８】
次に、図６を参照して、図５のステップＳ５０５及びステップＳ５１０での原稿台１６のピックアップローラ２を下げる動作について具体的に説明する。
【００７９】
ステップＳ６０１では、ＣＰＵは、原稿台１６の原稿検知センサ１４ａからの信号に基づいて原稿台１６に原稿Ｄ１が載置されているか否かを判断し、載置されている場合は、ステップＳ６０４に進み、載置されていない場合は、ステップＳ６０２に進む。
【００８０】
ステップＳ６０２では、ＣＰＵは、原稿台１６のピックアップローラ２を下げる方向に支持部材２０５が回動動作するように不図示の駆動手段を制御し、これにより、原稿Ｄ１の給紙口を閉じ、処理を終了する。
【００８１】
一方、ステップＳ６０４では、ＣＰＵは、ピックアップローラ２を下げるか否かを選択するための選択画面を、原稿Ｄ１が載置されていることを示す警告とともに操作表示部１０１、或いは出力部１０４を介して接続されたＰＣ等の外部装置の表示部に表示する。
【００８２】
次に、ステップＳ６０５では、ＣＰＵは、選択画面でのユーザ操作により、ピックアップローラ２を下げる動作が選択された場合、ステップＳ６０６に進み、ピックアップローラ２を下げない動作が選択された場合は、ステップＳ６０７に進む。
【００８３】
ステップＳ６０６では、ＣＰＵは、原稿台１６のピックアップローラ２を下げる方向に支持部材２０５が回動動作するように不図示の駆動手段を制御し、これにより、原稿Ｄ１の給紙口を閉じ、処理を終了する。
【００８４】
ステップＳ６０７では、ＣＰＵは、原稿台１６のピックアップローラ２を上げた状態に維持し、処理を終了する。なお、図５のステップＳ５０７及びステップＳ５０９での給送ローラ５を下げる動作については、上記同様であるため説明を省略する。
【００８５】
以上説明したように、本実施形態では、使用する原稿台の給紙口又は給送口を開放し、使用しない原稿台の給紙口又は給送口を閉じるようにしている。これにより、使用する原稿台を操作表示部１０１でのユーザ操作により選択した後、或いは原稿台を選択する操作を行う際に、選択した原稿台を容易に判別することができる。
【００８６】
（第２の実施形態）
次に図７〜図９を参照して、本発明の第２の実施形態である画像読取装置について説明する。なお、上記第１の実施形態に対して重複又は相当する部分については図及び符号を流用して説明する。
【００８７】
本実施形態の画像読取装置は、図７に示すように、ピックアップローラ２より原稿給紙方向の上流側位置に、原稿Ｄ１の給紙口（取込口）を開閉する開閉扉６００が配置されている。
【００８８】
開閉扉６００は、上部ユニット１８に支持されており、制御部１０６によって制御される不図示の駆動手段から駆動力が伝達されることで、上下方向に移動する。
【００８９】
そして、開閉扉６００が下方向に移動すると、該開閉扉６００が原稿台１６の載置面に当接して給紙口が閉じられ、開閉扉６００が上方向に移動すると、開閉扉６００が上部ユニット１８に収納されて、給紙口が開放される。
【００９０】
また、給送ローラ５より原稿給送方向の上流側位置には、原稿Ｄ２の給送口（取込口）を開閉する開閉扉６０１が配置されている。
【００９１】
開閉扉６０１は、上部ユニット１８に支持されており、制御部１０６によって制御される不図示の駆動手段から駆動力が伝達されることで、上下方向に移動する。
【００９２】
そして、開閉扉６０１が下方向に移動すると、該開閉扉６０１が原稿台１５の載置面に当接して給送口が閉じられ、開閉扉６０１が上方向に移動すると、開閉扉６０１が上部ユニット１８に収納されて、給送口が開放される。
【００９３】
ここで、図７（ａ）は、開閉扉６００，６０１が共に上方向に移動して原稿Ｄ１の給紙口及び原稿Ｄ２の給送口が開放された状態を示す概略断面図である。
【００９４】
また、図７（ｂ）は、開閉扉６００が下方向に移動して原稿Ｄ１の給紙口が閉じられ、開閉扉６０１が上方向に移動して原稿Ｄ２の給送口が開放された状態を示す概略断面図である。
【００９５】
更に、図７（ｃ）は、開閉扉６００が上方向に移動して原稿Ｄ１の給紙口が開放され、開閉扉６０１が下方向に移動して原稿Ｄ２の給送口が閉じられた状態を示す概略断面図である。
【００９６】
次に、図８を参照して、開閉扉６００，６０１の動作例について説明する。図８での各処理は、画像読取装置１のＲＯＭやハードディスク等に記憶されたプログラムがＲＡＭにロードされて、制御部１０６のＣＰＵにより実行される。
【００９７】
ステップＳ７０１では、ＣＰＵは、操作表示部１０１の設定画面４００でＯＫボタン４０４が押下されると、その時点までに設定画面４００をユーザが操作して変更した設定内容を記憶し、ステップＳ７０２に進む。
【００９８】
ステップＳ７０２では、ＣＰＵは、設定画面４００の読取原稿のラジオボタン４０３で「フィーダ」が選択されているか否かを判別し、「フィーダ」が選択されていれば、ステップＳ７０７に進み、「フィーダ」が選択されていなければ、ステップＳ７０３に進む。      
【００９９】
ステップＳ７０７では、ＣＰＵは、原稿台１５の開閉扉６０１を下方向に移動させるように不図示の駆動手段を制御し、これにより、原稿Ｄ２の給送口を閉じ、ステップＳ７０８に進む。
【０１００】
ステップＳ７０８では、ＣＰＵは、原稿台１６の開閉扉６００を上方向に移動させるように不図示の駆動手段を制御し、これにより、原稿Ｄ１の給紙口を開放し、処理を終了する。
【０１０１】
一方、ステップＳ７０３では、ＣＰＵは、設定画面４００の読取原稿のラジオボタン４０３で「名刺フィーダ」が選択されているか否かを判別する。
【０１０２】
そして、ＣＰＵは、「名刺フィーダ」が選択されている場合は、ステップＳ７０５に進み、「名刺フィーダ」が選択されていない場合は、ステップＳ７０４に進む。
【０１０３】
ステップＳ７０５では、ＣＰＵは、原稿台１６の開閉扉６００を下方向に移動させるように不図示の駆動手段を制御し、これにより、原稿Ｄ１の給紙口を閉じ、ステップＳ７０６に進む。
【０１０４】
ステップＳ７０６では、ＣＰＵは、原稿台１５の開閉扉６０１を上方向に移動させるように不図示の駆動手段を制御し、これにより、原稿Ｄ２の給送口を開放し、処理を終了する。
【０１０５】
一方、ステップＳ７０４では、ＣＰＵは、設定画面４００の読取原稿のラジオボタン４０３で「フラットベッド」が選択されているものと判断し、ステップＳ７０９に進む。
【０１０６】
ステップＳ７０９では、ＣＰＵは、原稿台１５の開閉扉６０１を下方向に移動させるように不図示の駆動手段を制御し、これにより、原稿Ｄ２の給送口を閉じ、ステップＳ７１０に進む。
【０１０７】
ステップＳ７１０では、ＣＰＵは、原稿台１６の開閉扉６００を下方向に移動させるように不図示の駆動手段を制御し、これにより、原稿Ｄ１の給紙口を閉じ、処理を終了する。
【０１０８】
次に、図９を参照して、図８のステップＳ７０５及びステップＳ７１０で原稿台１６の開閉扉６００を下げる動作について具体的に説明する。
【０１０９】
ステップＳ８０１では、ＣＰＵは、原稿台１６の原稿検知センサ１４ａからの信号に基づいて原稿台１６に原稿Ｄ１が載置されているか否かを判断し、載置されている場合は、ステップＳ８０４に進み、載置されていない場合は、ステップＳ８０２に進む。
【０１１０】
ステップＳ８０２では、ＣＰＵは、原稿台１６の開閉扉６００を下方向に移動させるように不図示の駆動手段を制御し、これにより、原稿Ｄ１の給紙口を閉じ、処理を終了する。
【０１１１】
一方、ステップＳ８０４では、ＣＰＵは、原稿台１６の開閉扉６００を下げるか否かを選択するための選択画面を、原稿Ｄ１が載置されていることを示す警告とともに操作表示部１０１、或いは出力部１０４を介して接続されたＰＣ等の外部装置の表示部に表示する。
【０１１２】
次に、ステップＳ８０５では、ＣＰＵは、ユーザが原稿を取り除き、選択画面で扉を下げる選択をしたとの認識により、開閉扉６００を下げる動作が選択されたと判断した場合は、ステップＳ８０６に進む。また、ＣＰＵは、開閉扉６００を下げない動作が選択されたと判断した場合は、ステップＳ８０７に進む。
【０１１３】
ステップＳ８０６では、ＣＰＵは、原稿台１６の開閉扉６００を下方向に移動させるように不図示の駆動手段を制御し、これにより、原稿Ｄ１の給紙口を閉じ、処理を終了する。
【０１１４】
ステップＳ８０７では、ＣＰＵは、原稿台１６の開閉扉６００を上げた状態に維持し、処理を終了する。
【０１１５】
なお、図８のステップＳ７０７及びステップＳ７０９での原稿台１６の開閉扉６０１を下げる動作については、上記同様であるため説明を省略する。その他の構成及び作用効果は、上記第１の実施形態と同様である。
【０１１６】
なお、本発明の構成は、上記実施形態に例示したものに限定されるものではなく、材質、形状、寸法、形態、数、配置箇所等は、本発明の要旨を逸脱しない範囲において適宜変更可能である。
【０１１７】
例えば、画像読取装置と直接又はネットワーク等を介して接続されたＰＣ等の外部装置の表示部に図３に示すような設定画面を表示して、外部装置側でのユーザ操作により原稿台の選択を行うようにしてもよい。また、例えば原稿台１５の開閉扉やトレーを開閉することで原稿台１５を選択可能とし、原稿台１５の選択時には原稿台１６を閉じ、非選択であることをユーザに明示してもよい。
【符号の説明】
【０１１８】
１      画像読取装置
２      ピックアップローラ
３      給送ローラ
４      分離ローラ
５      給送ローラ
６      搬送ローラ対
７      排紙ローラ対
８      レジストセンサ
９      対向部材
１０    読取ユニット
１１    色基準部材
１２    読取ユニット
１３    コンタクトガラス
１４ａ  原稿検知センサ
１４ｂ  原稿検知センサ
１５    原稿台
１６    原稿台
１７    排紙台
１８    上部ユニット
１９    下部ユニット
５２    分離ローラ
８１    上部フレーム
８１ａ  回転軸
８２    下部フレーム
１０１  操作表示部
１０２  画像処理部
１０４  出力部
１０５  記憶部
１０６  制御部
２００  ラインイメージセンサ
２０１  光源
２０２  ラインイメージセンサ
２０５  支持部材
２０６  支持部材
６００  開閉扉
６０１  開閉扉
Ｄ１    原稿
Ｄ２    原稿
【図１】
2010166388.tif 000003
【図２】
2010166388.tif 000004
【図３】
2010166388.tif 000005
【図４】
2010166388.tif 000006
【図５】
2010166388.tif 000007
【図６】
2010166388.tif 000008
【図７】
2010166388.tif 000009
【図８】
2010166388.tif 000010
【図９】
2010166388.tif 000011
【図１０】
2010166388.tif 000012